(57)【特許請求の範囲】
【請求項１】
ステム（２）の軸線（Ｔ）に沿って可動かつ回転可能である時刻設定ステム（２）を底部プレート（３）に備える時計ムーブメント（１００）であって、
前記ムーブメント（１００）は、少なくとも１つのカウンタ（１）を含む少なくとも１つの表示制御機構（２００）を備え、前記カウンタ（１）のアーバ（４）が軸線（Ｄ）の周りで枢動する時計ムーブメント（１００）において、
前記アーバ（４）は、前記ステム（２）の軸線（Ｔ）と交差し、第１の宝石（６）内で枢動し、前記第１の宝石（６）の第１の外側肩部（６１）は前記底部プレート（３）に打ち込まれており、前記第１の宝石（６）の第２の外側肩部（６２）は、前記ステム（２）を介して制御可能な中間時刻設定ホイール（７）の空隙（７１）を枢動可能にガイドすることを特徴とする、時計ムーブメント（１００）。
【請求項２】
前記底部プレート（３）には、前記アーバ（４）の軸線（Ｄ）に沿って、前記第１の外側肩部（６１）が打ち込まれる空隙（３１）を有し、また、前記ステム（２）の軸線（Ｔ）に沿って前記ステム（２）の第１の前方肩部（２２）をガイドする第１の前方空隙（３２）及び前記ステム（２）の第２の後方肩部（２３）をガイドする第２の後方空隙（３３）を備えること、並びに
前記宝石（６）は、完全に前記第１の前方空隙（３２）の片側にあること、並びに
前記宝石（６）は、前記第１の前方空隙（３２）から凹状になっているか又は前記第１の前方空隙（３２）に接する端面（６３）を有すること
を特徴とする、請求項１に記載のムーブメント（１００）。
【請求項３】
前記第１の外側肩部（６１）及び前記第２の外側肩部（６２）は並んでおり、共に前記アーバの軸線（Ｄ）の周りでの回転表面を形成することを特徴とする、請求項１に記載のムーブメント（１００）。
【請求項４】
前記第１の外側肩部（６１）及び前記第２の外側肩部（６２）は円筒形であり、同一の直径を有することを特徴とする、請求項３に記載のムーブメント（１００）。
【請求項５】
前記底部プレート（３）は、少なくとも１つの凸部（３４）を備え、これは、前記底部プレート（３）に対する前記中間時刻設定ホイール（７）の振動を制限するために、前記中間時刻設定ホイール（７）の軸受表面（７４）と最小の摩擦で摺動するように配設されていることを特徴とする、請求項１に記載のムーブメント（１００）。
【請求項６】
第２の宝石（９１）を備える歯車列用バー（９）を含み、前記第２の宝石（９１）内で、第１の端部（４６）に対応する第２の端部（４７）において前記アーバ（４）が備えるピボット（４２）が枢動し、前記第１の端部（４６）の近傍において、前記アーバ（４）は、スプール（４１）を介して前記第１の宝石（６）の軸孔（６４）と協働すること、及び
前記表示制御機構（２００）は、前記アーバ（４）と一体となって枢動する、前記歯車列用バー（９）の直近に配置されたカウンタホイール（４３）が備える歯部（４４）と噛み合う歯車列を備えること
を特徴とする、請求項１に記載のムーブメント（１００）。
【請求項７】
前記中間時刻設定ホイール（７）は、前記ステム（２）の特定の軸線方向における位置において、摺動ピニオン（８）が備える前面歯部（８１）と噛み合うよう配設される歯部（７２）を含み、前記摺動ピニオン（８）は前記ステム（２）と一体となって前記ステムの軸線（Ｔ）の周りで枢動し、また、前記ステムの軸線（Ｔ）に沿って軸線方向に可動であることを特徴とする、請求項１に記載のムーブメント（１００）。
【請求項８】
前記アーバ（４）は、前記第１の宝石（６）の前記第２の外側肩部（６２）からより離れた第１の端部（４６）において、カウンタ（１）の表示針（５）を受承するための針受け肩部（４５）を担持することを特徴とする、請求項１に記載のムーブメント（１００）。
【請求項９】
前記表示制御機構（２００）はクロノグラフ機構であることを特徴とする、請求項１に記載のムーブメント（１００）。
【請求項１０】
請求項１に記載のムーブメント（１００）を少なくとも１つ含む時計（３００）であって、
前記時計（３００）は腕時計であることを特徴とする、時計（３００）。
【発明の詳細な説明】
【技術分野】
【０００１】
本発明は、ステムの軸線に沿って可動かつ回転可能である時刻設定ステムを底部プレートに備える時計ムーブメントに関し、前記ムーブメントは、少なくとも１つのカウンタを備える少なくとも１つの表示制御機構を備え、このカウンタのアーバは軸線の周りで枢動する。
【０００２】
本発明はまた、少なくとも１つのこのタイプのムーブメントを備える時計にも関する。
【０００３】
本発明は、時計用表示機構の分野、より詳細にはクロノグラフの分野に関する。
【背景技術】
【０００４】
複数の表示を有する時計では、それぞれ特定の数値の表示用途である複数のカウンタを、ムーブメントの既に非常に過密になっている領域、特に時刻設定制御用ステム並びに場合によっては巻き上げ制御用ステム及び／又は曜日、日付、月、タイムゾーン若しくはその他の数値等のその他の数値の調整用ステムの近くに配置すると、問題が生じることがある。
【０００５】
このタイプのカウンタの枢動ピンを、歯車列に接続された底部プレートに位置決めすることが公知である。この配置は、表示制御機構から歯車列が離れて移動するという欠点を有し、この表示制御機構のカウンタは周縁表示部材の１つである。この歯車列は従来より、歯車列用バー上に歯車列領域から離れて配置される。
【発明の概要】
【発明が解決しようとする課題】
【０００６】
本発明は、時刻設定制御機構にできる限り近い位置にカウンタを格納することにより、先行技術に比べて枢動の品質を改善しつつ、ディスプレイのできる限り大きな直径をカバーすることができるよう、このタイプのカウンタの位置決めを改善することを提案する。
【０００７】
本発明はまた、歯車列と独立した、ステム近傍に位置するカウンタを作製することも提案する。
【課題を解決するための手段】
【０００８】
従って本発明は、ステムの軸線に沿って可動かつ回転可能である時刻設定ステムを底部プレートに備える、時計ムーブメントに関し、前記ムーブメントは、少なくとも１つのカウンタを含む少なくとも１つの表示制御機構を備え、このカウンタのアーバは軸線の周りで枢動し、前記アーバは前記ステムの軸線と交差し、第１の宝石内で枢動し、この第１の宝石の第１の外側肩部は前記底部プレートに打ち込まれており、第２の外側肩部は前記ステムを介して制御可能な中間時刻設定ホイールの空隙を枢動可能にガイドすることを特徴とする。
【０００９】
本発明はまた、少なくとも１つのこのタイプの時計ムーブメントを含む時計にも関し、前記時計は腕時計であることを特徴とする。
【００１０】
本発明の他の特徴及び利点は、添付の図面を参照して以下の詳細な説明を読むことにより明らかになるであろう。
【図面の簡単な説明】
【００１１】
【図１】図１は、腕時計である時計の概略前面図であり、この時計は３時位置に時刻設定ステムを備え、また、これもまた３時位置に、時刻設定システムのすぐ近くに配置された表示カウンタを備える。
【図２】図２は、ステムの軸線を通り、かつ腕時計の底部プレートの平面に垂直な平面における、このタイプのカウンタを備えるムーブメント、及びこのムーブメントと時刻設定機構との相互作用を説明するための概略断面図である。
【発明を実施するための形態】
【００１２】
本発明は時計ムーブメント１００に関する。
【００１３】
このムーブメント１００は、ステムの軸線に沿って可動かつ回転可能である時刻設定ステム２を底部プレート３に備える。
【００１４】
ムーブメント１００は、少なくとも１つのカウンタ１を含む少なくとも１つの表示制御機構２００を備え、このカウンタ１のアーバ４は軸線Ｄの周りで枢動する。
【００１５】
本発明によると、このアーバ４はステムの軸線Ｔと交差し、第１の宝石６において枢動する。この第１の宝石６はステム２の軸線Ｔに沿って設置され、底部プレート３に打ち込まれている第１の外側肩部６１、及びステム２を介して制御可能な時刻設定ホイール７の空隙７１を枢動可能にガイドする第２の外側肩部６２を備える。好ましくは、図２に示すように、第１の外側肩部６１及び第２の外側肩部６２は並んでおり、共に軸線Ｄの周りでの回転表面を形成する。好ましくは、第１の外側肩部６１及び第２の外側肩部６２は円筒形であり、同一の直径を有する。
【００１６】
好ましい実施形態では、底部プレート３は軸線Ｄに沿って空隙３１を有し、そこに前記第１の外側肩部６１が打ち込まれる。底部プレート３は従来より、ステムの軸線Ｔに沿ってステム２の第１の前方肩部２２をガイドする第１の前方空隙３２、及びステム２の第２の後方肩部２３をガイドする第２の後方空隙３３を備える。
【００１７】
好ましくは、図２に示すように、宝石６は完全に第１の前方空隙３２の片側、即ちアーバ４の第１の端部４６の側にある。アーバ４は、この第１の端部４６の近傍において、第１の宝石６の軸孔６４内で、アーバ４が備えるスプール４１によってガイドされる。好ましくは、このスプール４１は、第１の外側肩部６１と同じ高さの内側表面内でガイドされ、従ってこのスプールは、底部プレート３に対して突出することなく、堅固に保持される。宝石６は、第１の前方空隙３２から凹状になっているか又は第１の前方空隙３２に接する端面６３を有する。組立て中、この配置により、ステムの組付け前に空隙３２に挿入されるランナは、第１の宝石６を底部プレート３の空隙３１に打ち込む深さを限定することができ、これにより自動的に、第１、第２の外側肩部６１及び６２それぞれの所望の長さが保証される。
【００１８】
要するに、第１の宝石６は以下の３つの機能を有する：
−その外径上の第１の肩部６１を用いて、底部プレート３に第１の宝石６を保持する；
−その外径上の第２の肩部６２を用いて、中間時刻設定ホイール７を枢動させる；
−軸孔６４を用いて、アーバ４のスプール４１を枢動させる。
【００１９】
特定の実施形態では、底部プレート３は少なくとも１つの凸部３４を備え、これは、底部プレート３に対する中間時刻設定ホイール７の振動を制限するために、中間時刻設定ホイール７の軸受表面７４と最小の摩擦で摺動するよう配設される。
【００２０】
ムーブメント１００は好ましくは歯車列用バー９を備え、これは第２の宝石９１を含み、前記第１の端部４６に対応する第２の端部４７においてアーバ４が備えるピボット４２がこの第２の宝石９１内で枢動する。
【００２１】
表示制御機構２００は、アーバ４と一体となって枢動する、歯車列用バー９の直近に配置されたカウンタホイール４３が備える歯部４４と噛み合う歯車列を備える。この配置は、表示制御機構２００がクロノグラフ機構である特定の場合において、他のカウンタと同様の方法で歯車列用バー９と同じ高さでカウンタアーバ４に電源供給することができるため、有利であり、これは、ステムと整列させてカウンタを位置決めするためには他のカウンタに対する高さの変位が必要である従来技術では不可能であった。
【００２２】
図２に示すように、中間時刻設定ホイール７は、ステム２の特定の軸線方向における位置において、摺動ピニオン８が備える前面歯部８１と噛み合うよう配設される歯部７２を含み、摺動ピニオン８はステム２と一体となってステムの軸線Ｔの周りで枢動し、また、摺動ピニオン８の雌型角孔８２と協働するステム２の雄型角部２１の従来の配置によってステムの軸線Ｔに沿って軸線方向に可動である。
【００２３】
好ましくは、アーバ４は、第１の宝石６の第２の外側肩部６２からより離れたその第１の端部４６において、カウンタ１の表示針５を受承するための針受け肩部４５を担持する。
【００２４】
本発明は、表示制御機構２００がクロノグラフ機構である、有利かつ非限定的な応用をもたらす。
【００２５】
本発明はまた、少なくとも１つのこのようなムーブメント１００を含む時計３００にも関し、特に、腕時計である時計３００に関する。
【００２６】
要するに、本発明により、カウンタ１の針５を、時刻設定ステム２の軸線Ｔ上に、より詳細には腕時計３００に対してステムの３時位置に位置決めすることができる。
【００２７】
本発明により、表示制御機構２００の他のカウンタ同様、カウンタアーバに歯車列用バー９と同じ高さで電力供給することができる。
【００２８】
従って、カウンタ１のアーバ４は、他のカウンタから独立したものとなる。
【００２９】
宝石の取付けは通常、底部プレート内へと真っ直ぐに機械加工されたコレットであり、摩耗を受ける数多くの通常の実施形態とは異なり、中間時刻設定ホイール７は、第１の宝石６の第２の外側肩部６２上での高品質な枢動による利益を得る。
【００３０】
摺動ピニオン８は、中間時刻設定ホイール７と真っ直ぐに、かつ極めてコンパクトな様式で噛み合い、こうして得られるムーブメント１００の高さは削減される。
【００３１】
本発明はまた、底部プレート３及び歯車列用バー９上で枢動する標準的なアーバ４の使用も可能とする。
【図１】
0005503785.tif 000002
【図２】
0005503785.tif 000003